(57)【要約】【課    題】ベッドと収納設備を連繋するための構造を著しく簡素化してその取扱いの便宜を図ると共に、製造手間，コストの面でも有利な構造を付与したベッド下用収納設備を提供すること。【解決手段】底部に車輪３を具備して前面を開口した箱体２であって抽出体５を出入れ自在に収納した箱体２を、ベッドＢのフレームＦ下面側空間に出入れ可能に配置するようにした収納設備Ｓにおいて、前記箱体２における側壁部に穴6a，6bを具備して形成した支持部６に、前記ベッドＢのフレームＦを下面側から挟持する挟持部10cと該挟持部10cと一体であって前記支持部６の穴6a，6bに抜去可能に嵌入して保持される支持脚10a，10bとを具備した連繋部材10を、着脱自在に装着することにより、ベッドフレーム下空間に配置した前記箱体２をベッドＢに連繋一体化するようにした。【選択図】  図３
2004201795.tif 000002
【特許請求の範囲】
【請求項１】
底部に車輪を具備して前面を開口した箱体であって抽出体を出入れ自在に収納した箱体を、ベッドのフレーム下面側空間に出入れ可能に配置するようにした収納設備において、前記箱体における側壁部に穴を具備して形成した支持部に、前記ベッドのフレームを下面側から挟持する挟持部と該挟持部と一体であって前記支持部の穴に抜去可能に嵌入して保持される支持脚とを具備した連繋部材を、着脱自在に装着することにより、ベッドフレーム下空間に配置した前記箱体をベッドに連繋一体化するようにしたことを特徴とするベッド用収納設備。
【請求項２】
連繋部材の支持脚は１又は複数の杆体、或は、断面長方形などの板体により形成する一方、支持部の穴は前記支持脚の断面形状を受入れる穴に形成した請求項1のベッド用収納設備。
【請求項３】
箱体の天板にクッション材を装着した請求項１又は２のベッド用収納設備。
【請求項４】
抽出体の手前側には、箱体への収納時に床面から少し浮上する車輪を取付けた請求項１〜３のいずれかのベッド用収納設備。
【請求項５】
抽出体の底板又は側板、或は、抽出体と箱体の底板又は側板に、通気部を設けた請求項１〜４のいずれかのベッド用収納設備。
【発明の詳細な説明】
【０００１】
【発明の属する技術分野】
本発明は、既存，既設のベッドの下部空間を利用したベッド用収納設備に関する。
【０００２】
【従来の技術】
既存，既設の収納設備を有しないベッドの下部空間に抽出状の収納部を設けるようにしたベッド用収納設備は、本出願人が先に出願して公開されたものなどを始めとして公知である。（例えば、特許文献１参照）
【０００３】
本出願人が先に提案したベッド用収納設備は、既存，既設のベッドの下部空間の高さの変化に対応できることは勿論、使用中のベッドの撓みが生じてもそれに対応でき、また、ベッドの移動時には収納設備全体をベッドと一体的に移動可能に形成したことにより、移動時に抽出体を収納設備から離脱させる必要がなく、また収納物も散逸するおそれのないように構成した後付けタイプのベッド用収納設備である。
【０００４】
即ち、上記ベッド用収納設備は、ベッドのフレームの下面に、後付け収納設備を取付けるための支持部材を下向きに取付ける一方、底板に車輪を取付けた前面を開口した有底箱体であってベッドの下部空間に出し入れ可能に収まる箱体を、前記支持部材にロックピンとピン穴による係止機構を介してベッドの下部空間に挿装すると共に、前記箱体に抽出体を出し入れ自在に収納した構成を具備させたものであった。
【０００５】
【特許文献１】
特開平１１−１５５６９３号公報
【０００６】
しかし乍ら、上記のベッド用収納設備は、そのような設備を具備していないベッドに対してきわめて有用なものであることが確認できたが、未だ改善の余地のあることも判った。即ち、ベッドと収納設備を連繋するための係止構造がやや複雑であるため、この点を簡素化した方が取扱い易く、また、製造手間やコスト的にも有利になるという点である。
【０００７】
【発明が解決しようとする課題】
本発明は上述した収納設備を具備しないベッド、並びに、先に本出願人が提案したいわゆる後付け収納設備の改善すべき点に鑑み、ベッドと収納設備を連繋するための構造を著しく簡素化してその取扱いの便宜を図ると共に、製造手間，コストの面でも有利な構造を付与したベッド下用収納設備を提供することを、その課題とするものである。
【０００８】
【課題を解決するための手段】
上記課題を解決することを目的としてなされた本発明ベッド下用収納設備の構成は、底部に車輪を具備して前面を開口した箱体であって抽出体を出入れ自在に収納した箱体を、ベッドのフレーム下面側空間に出入れ可能に配置するようにした収納設備において、前記箱体における側壁部に穴を具備して形成した支持部に、前記ベッドのフレームを下面側から挟持する挟持部と該挟持部と一体であって前記支持部の穴に抜去可能に嵌入して保持される支持脚とを具備した連繋部材を、着脱自在に装着することにより、ベッドフレーム下空間に配置した前記箱体をベッドに連繋一体化するようにしたことを特徴とするものである。
【０００９】
本発明では、上記箱体の天板の一部乃至は全体にクッション体を装着し、この箱体をベッドの下から引出して、ストールや踏み台として使用できるように形成することができる。
【００１０】
また、上記抽出体は、その手前側に箱体への収納時に床面から少し浮上した状態で車輪を取付け、箱体の移動時に抽出体の車輪が邪魔にならないようにする一方、この箱体から抽出体を引出したときには、抽出体手前の車輪を着床させることにより、引出した抽出体が前下りに傾くことがないようにし、抽出体の箱体への出入れや抽出体への物品の出入れを円滑に行えるように形成できる。
【００１１】
更に、前記抽出体の底面や側面に通気用の穴やスリットなどを設けたり、この構成に加え箱体の底面や側面にも通気用の穴やスリットなどを設けることにより、抽出体や箱体に通気性を持たせ、収納設備内の収容物の湿気を放散し易いようにも形成できる。
【００１２】
【発明の実施の形態】
次に、本発明の実施の形態例を図により説明する。図１は本発明収納設備を適用するベッドの一例の斜視図、図２は図１のベッドに適用する本発明収納設備の一例の概要を示した斜視図、図３は本発明収納設備の要部を説明するための側面図、図４は図３の要部を拡大した断面図、図５はベッドの下部に本発明設備を３体挿装した例の正面図である。
【００１３】
図１に示した既設のベッドＢは、金属製のパイプ材を主体にフレームＦを形成し、このフレームＦの床上にマットＭを載置して形成されている。本発明は、このベッドのフレームＦを形成する前後，左右の枠フレーム部材１と、枠フレーム部材１にラダー状に架設された棧フレーム部材1fの下面に、図２に例示する形態の収納設備Ｓを配置するようにしたものである。以下、この収納設備Ｓについて詳述する。
【００１４】
図１において、ベッドフレームＦのにおける左右の枠フレーム部材１、又は、前後の枠フレーム部材１が、この実施例におけるベッド側の収納設備Ｓの取付用部材として機能する。
【００１５】
図２において、２は下面の略四隅に４個のキャスタ等による車輪３を具備すると共に、この例では前面のみを開口形成した平面略矩形状をなす有底の箱体であって、左右の側壁内面に後述する抽出体５を出入れ自在に支持するためのサスペンション部材などによる抽出レール部材４が設けられている。そして、前記箱体２の天壁2aにおける左右側の手前側上面には、ここでは前後に並べた２つの穴6a，6bが、後述する連繋部材10を装着するための支持部６を構成する部材の一つとして設けられている。なお、2bは箱体２の左右側壁、2cは同じく箱体２の底壁、2dは箱体２の前面開口部である。
【００１６】
一方、図２に示した抽出体５は、上記箱体２に対しその前面開口部2dにおいて出入れ自在に形成された上面を全面開口した有底の箱状容器により形成され、左右両側壁5a，5aの外面に上記抽出レール部材４，４とペアをなすスライド自在なサスペンション部材などによる抽出ガイド部材８，８が設けられていると共に、底壁5bの手前側下面に支持輪９が設けられている。ここでは、抽出体５の内部は仕切板5cにより左右で仕切られていると共に、片側の区画の上面にはトレー乃至はクッション材を具備したプレートによる蓋体5dが着脱可能に配置されている。なお、７は抽出体５の手前側壁面上部に設けた引手であるが、引手７の形態は図示のものに限られるものではなく、任意の形態を選択できる。
【００１７】
なお、抽出体５における前記支持輪９は、抽出体５を箱体２内に収納した際、床面より少し浮上するように取付けている。これは、抽出体５を箱体２から引出したとき、抽出体５の手前側が垂れ下がることがないようにして、抽出体５の箱体２への出入れやその抽出体５内部への物品の出入れを円滑にできるようするためである。また、抽出体５には、必要に応じて側板5aや底板5bに通気のため孔やスリット（図示せず）を設けて内外で換気ができるようにする。この通気のための孔やスリットは、抽出体５とともに箱体２の底板2cや側板2bにも設けることがある。更に、箱体２の車輪３と抽出体５の支持輪９との位置関係は、図３の例では支持輪９が車輪３より手前側に位置しているが、この位置関係は任意である。
【００１８】
抽出体５を出入れ自在に具備した箱体２は、ベッド下用の収納設備Ｓとして図１のベッドフレームＦの下方空間に配置されるのであるが、本発明はフレームＦの下に配置された箱体２をベッドＢと結合一体化するための連繋機構を、以下に説明する構造としたので、この連繋機構について図４を参照しつつ説明する。なお、図４において図１〜図３と同一部材、同一部位は同一符号で示している。
【００１９】
まず、箱体２の天壁2aにおける左右側の手前側（又は側壁2bの上面手前側）には、この箱体２とベッドＢの枠フレーム部材１とを結合するための連繋部材10における支持脚10aを嵌入させて支持するための連繋支持部６，６が形成されている。この支持部６は、天壁2aの前後に並べて設けた穴6a，6bと、その真下に各穴6a，6bと同軸上で設けた、ここではコイルスプリングによる脚保持部6c，6dとにより構成されている。なお、6eは前記スプリングによる脚保持部6c，6dを取付けるために天壁2a（又は側壁2bの上面）の裏面に当該天壁2aと平行な部材により形成したスプリング取付座である。
【００２０】
一方、連繋部材10は、上記支持部６における２つの穴6a，6bに挿入されてコイルスプリングによる脚保持部6c，6dに保持される側面から見て略門型をなす２本の支持脚10a，10bと、その上部に、ベッドＢにおける枠フレーム部材１を、その下方から嵌合して挟持する側断面が略凹状をなす挟持部材10cとを一体的に設けることにより形成されている。なお、10dは挟持部材10cと一体になってここでは挟持部材10cの凹状を形成すると共に、前記支持脚10a，10bと挟持部材10cの一体化を補完するブラケットを兼用したガイド部材である。本発明において、挟持部材10cとガイド部材10dとを別部材により形成するか、当初から一体の部材で形成するかは、任意である。
【００２１】
前記ガイド部材10dは、その後面側（図４の右方）が右下がりの斜面10eに形成され、後に述べる支持脚10a，10bがその保持部6c，6dに沈み込み動作をするガイドとして作用する。10fは挟持部材10cの下方に設けた舌片状の掴み部材であり、以上に述べた支持部６と連繋部材10とにより、本発明における連繋機構の一例を形成する。ここで、掴み部材10fも、上記挟持部材10c，ガイド部材10dと一体部材により形成することができる。この意味で、２本の支持脚10a，10bも上記各部材10c〜10fと鍛造やプレス等で一体で形成することができる。
【００２２】
本発明ベッド用収納設備Ｓの一例は上記のように構成されるが、この設備ＳのベッドＢへの結合は、次の通り行う。まず、左，右の連繋部材10においてそれぞれの支持脚10a，10bを箱体２における左，右の穴6a，6bに入れ、夫々に左右のコイルスプリングによる脚保持部6c，6dに挿入することにより、左右の連繋部材10，10を左右の支持部６，６に保持させた状態にする。
【００２３】
次に、上記箱体２をベッドフレームＦの下方に挿入するが、この挿入時、左右の連繋部材10，10における夫々のガイド部材10dの斜面10eが枠フレーム部材１の手前側（図４の左側）に当接するので、そのまま箱体２を押込むと、前記斜面10eが枠フレーム部材１の下面によって下方へ押される。
【００２４】
前記斜面10eが下方へ押されることによってガイド部材10dが支持脚10a，10bと一体に降下するので、左，右の連繋部材10は、それぞれ脚保持部6c，6dを形成したコイルスプリングのバネ力に打勝って２本の支持脚10a，10bの下端が当該脚保持部6c，6dの底に当接したまま、スプリングを伸長させてこの脚保持部6c，6dと一緒に下方へ沈み込む。
【００２５】
上記のようにしてガイド部材10dの斜面10eの頂上が枠フレーム部材１を通過してしまうと、伸長した前記脚保持部6c，6dのバネ力によって連繋部材10はその全体が上方へ押上げられて元の位置に戻るので、斜面10eの頂上の直下に位置した側面略凹状をなす挟持部10cが枠フレーム部材１の下面を挟持する態様で、当該枠フレーム部材１にその下面側から嵌合する。
【００２６】
上記操作によって本発明収納設備Ｓの箱体２とベッドフレームＦにおける枠フレーム部材１との結合一体化が完了する結果、箱体２はベッドＢの下面でこの位置に固定されることとなり、この状態で、抽出体５は抽出レール部材４と同ガイド部材８の作用で固定された箱体２に対し出入れ自在になる。また、箱体２の支持部６に装着した連繋部材10の挟持部10cは、枠フレーム部材１の長さ方向の任意の位置で当該部材１を挟持して枠フレーム部材１と箱体２との結合一体化ができるので、収納設備ＳをフレームＦの四周の枠フレーム部材１の任意の位置にセットすることができる。しかも、そのセット操作は、いわばワンタッチ操作でできるから、取扱いがきわめて容易である。図５は本発明における上記連繋部材10の特長を活用してベッドＢのフレームＦに収納設備Ｓを３台セットした例を示す正面図である。
【００２７】
本発明収納設備Ｓでは、それをセットしたベッドＢの使用時などに連繋部材10と結合された枠フレーム部材１が下方へ撓むことがあっても、連繋部材10の支持脚10a，10bを保持した脚保持部6c，6dのスプリングが伸びるので、枠フレーム部材１の撓みなどに拘らず連繋部材10には何ら支障がなく、収納設備Ｓの箱体２は当初のベッド下の位置で配置された状態を維持することができる。
【００２８】
本発明収納設備ＳをベッドフレームＦの枠フレーム部材１から離脱させるには、箱体２の支持部６に装着した連繋部材10における掴み部10fを手でつかみ、その掴み部を脚保持部6c，6dのバネ力に抗して下方へ押下げてやると、ガイド部材10dの斜面10eの頂上が枠フレーム部材１の下面より下位に位置付けられるので、このまま箱体２を手前側に引出すと、抽出体５を収納したまま、箱体２をベッドフレームＦの下面から手前に引出すことができる。掴み部10fから手を放せば、連繋部材10はその保持部6c，6dのバネ力によって元の位置に戻る。
【００２９】
また、収納設備Ｓをベッド下から引出して、左右の連繋部材10をその支持部６から取外せば、箱体２の上面は、ほぼ完全なフラット面になるから、適宜の場所に移動させてスツールや踏み台として利用することも可能である。また、抽出体５を引出せば箱体２の上面と抽出体５の蓋体5dによって、小さ目のベンチとしても利用できる。なお、取外した連繋部材10の散逸防止のため、箱体２と連繋部材10とを鎖などの短か目の索体で繋いでおくとよい。
【００３０】
上記の本発明収納設備Ｓは、その箱体２がベッドＢのフレームＦにおける枠フレーム部材１の下面側に、前記箱体２に形成した支持部６に装着してそこに保持された連繋部材10によって連繋固定された状態にあるときは、この状態のままでベッドを水平移動させても、抽出体５を納めた箱体２ごと一緒に水平移動させることができる。
【００３１】
また、上記の収納設備Ｓにおいて、連繋部材10の支持脚10a，10bは杆体による２本脚に形成したものであったが、本発明においては支持脚10a，10bは杆体による３本又はそれ以上の本数の支持脚に形成したものでもよく、また、杆体による支持脚に代え、板状体やアングル材、或は、パイプ材など、杆体以外の部材で支持脚を形成してもよい。このように支持脚10a，10bの形態を他の部材の形態に代替したときは、穴6a，6bも採用した支持脚の平断面形状を受入れることができる穴形状とする。また、この場合の脚保持部6c，6dのコイルスプリングの巻き形状も支持脚の平断面形状を受入れることができる巻き形状のものを用いる。なお、前記スプリングに代えてスポンジや板バネなどのクッション材を用いることもできるが、その場合には、支持脚をその外面から抱持する筒状体や少なくとも２枚の板による挟持体などを使用して支持脚の保持部を形成する。
【００３２】
【発明の効果】
本発明は上述のとおりであって、ベッド下用の収納設備において、収納設備の外ケースを構成する箱体側壁の手前側上部に形成した支持部に、前記ベッドのフレームに下面側から嵌合される挟持部と該挟持部と一体であって前記側壁の支持部の穴から嵌入されて当該支持部に保持される支持脚とを具備した連繋部材を、着脱自在に装着することにより、ベッドのフレーム下空間に配置した前記箱体を当該ベッドと連繋一体化できるようにしたから、収納設備とベッドフレームとの結合、離脱構造が簡素になり、いわばワンタッチ操作で収納設備とベッドとの結合，離脱をすることができて取扱い易く、ベッドの下部空間を有効利用できると共に、収納設備全体をベッドと一体のまま水平移動させることもできる。
【００３３】
また、収納設備を構成する箱体は、その上面や抽出体の蓋体に座板としてのクッション体を設けておくことにより、必要に応じベッド下面からこの箱体を引き出した際、連繋部材を外して、前記クッションの上面をスツールとしたり箱体を踏み台として利用することができる。
【００３４】
更に、前記箱体に収装される抽出体は、その手前側中央に支持輪を取付け、且つ、この支持輪が箱体への収納時に床面から少し浮上するように設けているので、箱体への出入れ操作が容易であることは勿論のこと、抽出体を引き出した際、まず、手前の支持輪が床に着くので、引き出した抽出体が手前側に傾かず、荷物の出入れにおける使い勝手が良好である。
【００３５】
従って、本発明収納設備は、ベッドの下面に必要に応じて後から設置する収納設備として極めて有用である。
【図面の簡単な説明】
【図１】本発明収納設備を適用するベッドの一例の斜視図
【図２】図１のベッドに適用する本発明収納設備の一例の概要を示した斜視図
【図３】本発明収納設備の要部を説明するための側面図
【図４】図３の要部を拡大した断面図
【図５】ベッドの下部に本発明設備を３体挿装した例の正面図
【符号の説明】
Ｂ  ベッド
Ｆ  フレーム
１  枠フレーム部材
1f  棧フレーム部材
Ｍ  マット
Ｓ  収納設備
２  箱体
３  箱体の車輪
４  抽出レール部材
５  抽出体
６  支持部
７  引手
８  抽出ガイド部材
９  支持輪
10  連繋部材
【図１】
2004201795.tif 000003
【図２】
2004201795.tif 000004
【図３】
2004201795.tif 000005
【図４】
2004201795.tif 000006
【図５】
2004201795.tif 000007